(57)【要約】【課題】主に携帯用の電子機器等に用いられる電池収容器、及びこれを用いたリモコン送信機に関し、蓋体の装着が確実で外れ難いものを提供することを目的とする。【解決手段】ケース１の収納部２端部の、蓋体５端部の係合爪５Ａが係止される壁部１４上面に、複数の突出リブ１４Ｂを設けて電池収容器１６を構成することによって、蓋体５を押圧した際、蓋体５下面がこの突出リブ１４Ｂに当接し、小さな力では蓋体５が大きく撓まないため、蓋体５の装着が確実で外れ難い電池収容器、及びこれを用いたリモコン送信機を得ることができる。【選択図】図１
2005347194.tif 000002
【特許請求の範囲】
【請求項１】
電池を収納する上面開口の収納部、及びこの収納部端部の壁部上面に係合凹部または係合爪が形成されたケースと、上記収納部及び壁部上面を覆うと共に、端部に係合爪または係合凹部が形成された蓋体からなり、上記ケースの壁部上面に複数の突出リブを設けた電池収容器。
【請求項２】
請求項１記載の電池収容器と、複数のスイッチ接点と、このスイッチ接点に接続された制御手段からなり、上記スイッチ接点の操作に応じて、上記制御手段がリモコン信号を送信するリモコン送信機。
【発明の詳細な説明】
【技術分野】
【０００１】
本発明は、主にリモコン送信機や携帯用の電子機器に用いられる電池収容器に関するものである。
【背景技術】
【０００２】
近年、リモコン送信機やデジタルカメラ等の、特に携帯用の電子機器においては、機器内の電池収容器に複数の電池を収容し、この電池を電源として機器の電気的・機械的動作を行うものが増えている。
【０００３】
このような従来の電池収容器及びこれを用いたリモコン送信機について、図４及び図５を用いて説明する。
【０００４】
図４は従来のリモコン送信機の斜視図、図５（ａ）は同側面断面図であり、同図において、１は略箱状で絶縁樹脂製のケースで、上面開口で略円弧状に窪んだ収納部２には、複数の電池３が並列に並んで収納されると共に、この収納部２端部の壁部４の上面中間部には、係合凹部４Ａが形成されている。
【０００５】
そして、５は略コの字状で絶縁樹脂製の蓋体で、この蓋体５右端部がケース１右端部に係止されると共に、蓋体５左端部に形成された係合爪５Ａが係合凹部４Ａに係止され、ケース１の収納部２及び壁部４上面を蓋体５が覆って、電池収容器６が形成されている。
【０００６】
また、７は上下面に複数の配線パターン（図示せず）が形成された配線基板で、下面には複数の固定接点（図示せず）が形成されると共に、発光ダイオードやマイコン（図示せず）等の電子部品が実装されて、リモコン信号を送信する制御手段８が形成され、この制御手段８に電極（図示せず）等を介して電池３が接続されている。
【０００７】
さらに、９はゴム等の可動接点体で、ドーム状の複数の操作部９Ａが形成されると共に、操作部９Ａの上面には、配線基板７の固定接点と所定の間隙を空けて対向する可動接点（図示せず）が設けられ、この固定接点と可動接点によってスイッチ接点が形成されている。
【０００８】
そして、１０は絶縁樹脂製のカバーで、このカバー１０によってケース１下面が覆われると共に、カバー１０下面から可動接点体９の複数の操作部９Ａが上下動可能に突出して、リモコン送信機が構成されている。
【０００９】
以上の構成において、このリモコン送信機を電子機器に向け、例えば、電源用や音量切換用等の所定の操作部９Ａを押圧操作し、スイッチ接点の電気的接離を行うと、これらに対応した赤外線のリモコン信号が制御手段８から電子機器へ送信され、これによって電子機器の電源の入／切や音量の増減等が、遠隔操作によって行われる。
【００１０】
また、電池３を交換する際には、図５（ｂ）に示すように、蓋体５端部の中間部を指で押圧し、蓋体５を下方へ大きく撓ませ、端部に形成された係合爪５Ａをケース１の係合凹部４Ａから外した後、図４に示すように、蓋体５を右方向へ摺動させ、電池３の並んだ収納部２を開けて、電池３の交換が行われるように構成されているものであった。
【００１１】
なお、この出願の発明に関連する先行技術文献情報としては、例えば、特許文献１が知られている。
【特許文献１】特開平９−１０７５８８号公報
【発明の開示】
【発明が解決しようとする課題】
【００１２】
しかしながら、上記従来の電池収容器及びこれを用いたリモコン送信機においては、電池交換時に蓋体５を押圧すると、蓋体５が下方へ大きく撓むように構成されているため、遠隔操作時に誤って蓋体５を押圧したり、リモコン送信機を落下させた際等に、蓋体５が外れ電池３の脱落が生じ易いという課題があった。
【００１３】
本発明は、このような従来の課題を解決するものであり、蓋体の装着が確実で外れ難い電池収容器、及びこれを用いたリモコン送信機を提供することを目的とする。
【課題を解決するための手段】
【００１４】
上記目的を達成するために本発明は、以下の構成を有するものである。
【００１５】
本発明の請求項１に記載の発明は、ケースの収納部端部の、蓋体端部の係合爪または係合凹部が係止される壁部上面に、複数の突出リブを設けて電池収容器を構成したものであり、蓋体を押圧した際、蓋体下面がこの突出リブに当接し、小さな力では蓋体が大きく撓まないため、蓋体の装着が確実で外れ難い電池収容器を得ることができるという作用を有する。
【００１６】
請求項２に記載の発明は、請求項１記載の電池収容器と、複数のスイッチ接点と、このスイッチ接点に接続され、スイッチ接点の操作に応じてリモコン信号を送信する制御手段によってリモコン送信機を構成したものであり、蓋体の装着が確実で使い易いリモコン送信機を実現することができるという作用を有する。
【発明の効果】
【００１７】
以上のように本発明によれば、蓋体の装着が確実で外れ難い電池収容器、及びこれを用いたリモコン送信機を実現することができるという有利な効果が得られる。
【発明を実施するための最良の形態】
【００１８】
以下、本発明の実施の形態について、図１〜図３を用いて説明する。
【００１９】
なお、背景技術の項で説明した構成と同一構成の部分には同一符号を付して、詳細な説明を簡略化する。
【００２０】
（実施の形態）
図１は本発明の一実施の形態によるリモコン送信機の斜視図、図２は同正面断面図であり、同図において、１は略箱状でポリスチレンやＡＢＳ等の絶縁樹脂製のケースで、上面開口で略円弧状に窪んだ収納部２には、複数の電池３が並列に並んで収納されている。
【００２１】
そして、この収納部２端部の壁部１４の上面中間部には、係合凹部１４Ａが形成されると共に、この係合凹部１４Ａ前後の壁部１４上面には、複数の突出リブ１４Ｂが設けられている。
【００２２】
また、５は略コの字状で絶縁樹脂製の蓋体で、この蓋体５右端部がケース１右端部に係止されると共に、蓋体５左端部に形成された係合爪５Ａが係合凹部１４Ａに係止され、ケース１の収納部２及び壁部１４上面を蓋体５が覆って、電池収容器１６が形成されている。
【００２３】
さらに、７は上下面に銅等によって複数の配線パターン（図示せず）が形成された紙フェノールやガラス入りエポキシ等の配線基板で、下面には複数の固定接点（図示せず）が形成されると共に、発光ダイオード８Ａやマイコン８Ｂ等の電子部品が実装されて、リモコン信号を送信する制御手段８が形成され、この制御手段８に電極（図示せず）等を介して電池３が接続されている。
【００２４】
また、９はシリコンゴムやエラストマー等の可動接点体で、ドーム状の複数の操作部９Ａが形成されると共に、操作部９Ａの上面には、配線基板７の固定接点と所定の間隙を空けて対向する可動接点（図示せず）が設けられ、この固定接点と可動接点によってスイッチ接点が形成されている。
【００２５】
そして、１０は絶縁樹脂製のカバーで、このカバー１０によってケース１下面が覆われると共に、カバー１０下面から可動接点体９の複数の操作部９Ａが上下動可能に突出して、リモコン送信機が構成されている。
【００２６】
以上の構成において、このリモコン送信機を電子機器に向け、例えば、電源用や音量切換用等の所定の操作部９Ａを押圧操作し、スイッチ接点の電気的接離を行うと、これらに対応した赤外線のリモコン信号が制御手段８から電子機器へ送信され、これによって電子機器の電源の入／切や音量の増減等が、遠隔操作によって行われる。
【００２７】
また、電池３を交換する際には、図３（ａ）の側面断面図に示す、蓋体５端部の係合爪５Ａがケース１の係合凹部１４Ａに係止した状態から、図３（ｂ）に示すように、蓋体５端部の中間部を指で押圧し、蓋体５を下方へ撓ませ、端部に形成された係合爪５Ａをケース１の係合凹部１４Ａから外した後、図１に示すように、蓋体５を右方向へ摺動させ、電池３の並んだ収納部２を開けて、電池３の交換が行われる。
【００２８】
ただし、この時、図３（ｂ）に示すように、ケース１の係合凹部１４Ａ左右の壁部１４上面には、複数の突出リブ１４Ｂが設けられているため、押圧された蓋体５下面はある程度撓むと、この突出リブ１４Ｂに当接し、これ以上は蓋体５中間部に、ある程度大きな力を加えないと撓まないように構成されている。
【００２９】
つまり、電池交換のために蓋体５端部の中間部を指で意識的に強く押圧する場合と異なり、遠隔操作時に誤って蓋体５を押圧したり、リモコン送信機を落下させた際等のように、比較的小さな力が蓋体５に加わった場合には、係合爪５Ａが係合凹部１４Ａから外れず、蓋体５が外れ難くなっている。
【００３０】
このように本実施の形態によれば、ケース１の収納部２端部の、蓋体５端部の係合爪５Ａが係止される壁部１４上面に、複数の突出リブ１４Ｂを設けて電池収容器１６を構成することによって、蓋体５を押圧した際、蓋体５下面がこの突出リブ１４Ｂに当接し、小さな力では蓋体５が大きく撓まないため、蓋体５の装着が確実で外れ難い電池収容器、及びこれを用いたリモコン送信機を得ることができるものである。
【００３１】
なお、以上の説明では、ケース１の壁部１４上面に係合凹部１４Ａを、蓋体５端部に係合爪５Ａを設けた構成について説明したが、これとは逆に、ケース１の壁部１４上面に係合爪を、蓋体５端部に係合凹部を設け、これらを係止する構成としても、本発明の実施は可能である。
【産業上の利用可能性】
【００３２】
本発明による電池収容器及びこれを用いたリモコン送信機は、蓋体の装着が確実で外れ難いものが得られ、特に携帯用の電子機器等に有用である。
【図面の簡単な説明】
【００３３】
【図１】本発明の一実施の形態によるリモコン送信機の斜視図
【図２】同正面断面図
【図３】同側面断面図
【図４】従来のリモコン送信機の斜視図
【図５】同側面断面図
【符号の説明】
【００３４】
１  ケース
２  収納部
３  電池
５  蓋体
５Ａ  係合爪
７  配線基板
８  制御手段
８Ａ  発光ダイオード
８Ｂ  マイコン
９  可動接点体
９Ａ  操作部
１０  カバー
１４  壁部
１４Ａ  係合凹部
１４Ｂ  突出リブ
１６  電池収容器
【図１】
2005347194.tif 000003
【図２】
2005347194.tif 000004
【図３】
2005347194.tif 000005
【図４】
2005347194.tif 000006
【図５】
2005347194.tif 000007